(57)【要約】【課題】全体の構成が簡易で、且つ使用者が足腰の弱い老人や足腰に障害がある障害者等であっても容易に使用できて、しかも良好な効能、効果が得られる健康器具を提供することを課題とする。【解決手段】足の親指Ｓを挿入する筒状の指挿入部２１と、該指挿入部２１に連設して残りの足指Ｙを載置する指載置板２３とを備える健康器具１０であって、前記各足指Ｓ，Ｙを手前側に屈曲運動することができるように前記健康器具１０を手前側に動かすための把持部２３ｂを備えるよう構成されている。【選択図】図１
2009028505.tif 000002
【特許請求の範囲】
【請求項１】
足の親指を挿入する筒状の指挿入部と、該指挿入部に連設して残りの足指を載置する指載置部とを備える健康器具であって、前記各足指を手前側に屈曲運動することができるように前記健康器具を手前側に動かすための把持部を備えてなることを特徴とする健康器具。
【請求項２】
前記載置部に指覆部を覆設したことを特徴とする請求項１に記載の健康器具。
【請求項３】
前記健康器具を足先に装着するために踵に掛回する伸縮自在の環状ゴム部を、さらに備えてなることを特徴とする請求項１または２に記載の健康器具。
【発明の詳細な説明】
【技術分野】
【０００１】
本発明は健康器具、さらに詳しくは足先のつぼ（経穴）や神経に刺激を与えることにより、血行を良くして体調を整えると共に、腹筋や足の運動をも図ることができる健康器具に関する。
【背景技術】
【０００２】
近年の健康ブーム、フィットネスブームによって健康器具の市場は大幅に拡大しており、広範囲な分野において多種多様な商品が開発、販売されるに至っている。その一例としては、例えば次に示すような健康器具が存在する。
【特許文献１】特開２００６−６８９０号公報（第１頁、図１）。
【０００３】
前記従来の健康器具は、特開２００６−６８９０号公報記載の図１に示すように、両足で乗れる大きさと強度の一枚板、または、小さな板を、すのこ状に並べた踏み板と、その踏み板の上に取り付けた足の裏を刺激する丸棒と、それらを固定する装置と、踏み板の傾斜角度を可変出来る複数の枕木及びそれを固定する構造と、その全てを収納出来る箱とで構成されており、所定の傾斜角度にセットした踏み板に乗ることで、足の筋を伸ばす効果、及び踏み板の先端部を足指で掴む構造により足裏と足裏の指付け根部分に指圧効果をもたらす複数の効果により健康増進、ダイエット等にも効果を奏するものである。
【発明の開示】
【発明が解決しようとする課題】
【０００４】
しかしながら、前記従来の健康器具は、全体の構成が複雑であり、また製作費用が嵩むという問題点を有していた。
【０００５】
さらに、前記健康器具を使用する場合は、所定の傾斜角度にセットした踏み板に乗らなければならず、足腰の弱い老人や足腰に障害がある障害者等が使用することは困難であった。
【０００６】
本発明は、かかる問題点を解消すべくなされたものであり、全体の構成が簡易で、且つ使用者が足腰の弱い老人や足腰に障害がある障害者等であっても容易に使用できて、しかも良好な効能、効果が得られる健康器具を提供することを目的とする。
【課題を解決するための手段】
【０００７】
請求項１に記載の健康器具は、足の親指を挿入する筒状の指挿入部と、該指挿入部に連設して残りの足指を載置する指載置部とを備える健康器具であって、前記各足指を手前側に屈曲運動することができるように前記健康器具を手前側に動かすための把持部を備えてなることを特徴とする。
【０００８】
請求項１に記載の発明にあっては、使用者は椅子又は座敷等に座った状態で、前記健康器具の指挿入部を足の親指に挿入し、残りの４本の足指を前記指載置部に乗せた状態で足先に装着して、前記健康器具の把持部を手で持って、足指の付け根部分を中心として手前側に前記健康器具を引き寄せたり戻したりするように操作することで、足指の付け根部分を支点として足指を上下動させて、足指の付け根部分にある経穴や神経を中心として押圧することになる。また、前記健康器具を操作する場合は、右足に装着した前記健康器具を操作する場合は左手で操作を行い、また、左足に装着した前記健康器具を操作する場合は右手で操作を行うので、その結果、運動効果が全身に行き渡り、良好な効能、効果が得られることとなる。
【０００９】
請求項２に記載の健康器具は、請求項１に記載の健康器具において、前記載置部に指覆部を覆設したことを特徴とする。
【００１０】
請求項２に記載の発明にあっては、使用者は椅子又は座敷等に座った状態で、前記健康器具の指挿入部を足の親指に挿入し、残りの４本の足指を前記指載置部に乗せた状態で足先に装着する場合に、４本の足指が指覆部にて覆われるため、前記健康器具の把持部を手で持って足指の付け根部分を中心として手前側に前記健康器具を引き寄せたり戻したりするように操作し、足指の付け根部分を支点として足指を上下動させて、足指の付け根部分にある経穴や神経を中心として押圧するときに、前記指挿入部に挿入された親指に付け根を中心として上下動するのに加えて、残りの４本の足指も上下動の際に前記指覆部に当たり、適度に上下動を行うことができるので、運動の効果をさらに効率的に行うことができる。
【００１１】
請求項３に記載の健康器具は、請求項１または２に記載の健康器具において、前記健康器具を足先に装着するために踵に掛回する伸縮自在の環状ゴム部を、さらに備えてなることを特徴とする。
【００１２】
請求項３に記載の発明にあっては、使用者は前記健康器具を足先に装着した状態で、前記環状ゴム部を足の踵に引っ掛けるように掛け回すと、前記健康器具は足先に装着した状態で足先に固定されるので、前記健康器具を操作し易くなる。
【発明の効果】
【００１３】
請求項１に記載の健康器具においては、足の親指を挿入する筒状の指挿入部と、該指挿入部に連設して残りの足指を載置する指載置部とを備える健康器具であって、前記各足指を手前側に屈曲運動することができるように前記健康器具を手前側に動かすための把持部を備えているので、使用者は椅子又は座敷等に座った状態で前記健康器具の指挿入部を足の親指に挿入し、残りの４本の足指を前記指載置部に乗せた状態で、前記健康器具を足先に装着して、前記健康器具の把持部を手で持って、足指の付け根部分を中心として手前側に前記健康器具を引き寄せたり戻したりするように操作することで、足指の付け根部分を支点として足指を屈曲運動させて、足指の付け根部分にある経穴や神経を中心として押圧することができ、足指付け根部分に集中するツボを刺激して臓器の活性化及び足の筋肉のストレッチ並びに健康増進効果等を図ることができる。また、前記健康器具は手及び手の指を使用して操作するので、足指付け根部分以外の神経をも刺激し、手の先から足の先まで、全身に亘って効果的な運動が行うことができるとともに、各臓器の健康を維持し、地肌を美しく維持し、吹き出物をできにくくし、化粧乗りを良くすることができる。前記健康器具を操作する場合は、右足に装着した前記健康器具を操作する場合は左手で操作を行い、また、左足に装着した前記健康器具を操作する場合は右手で操作を行うので、その結果、運動効果が全身に行き渡り、良好な効能、効果が得られることとなる。
【００１４】
請求項２に記載の健康器においては、請求項１に記載の健康器具において、前記載置部に指覆部を覆設しているので、使用者は椅子又は座敷等に座った状態で、前記健康器具の指挿入部を足の親指に挿入し、残りの４本の足指を前記指載置部に乗せた状態で足先に装着する場合に、４本の足指が指覆部にて覆われるため、前記健康器具の把持部を手で持って足指の付け根部分を中心として手前側に前記健康器具を引き寄せたり戻したりするように操作し、足指の付け根部分を支点として足指を上下動させて、足指の付け根部分にある経穴や神経を中心として押圧するときに、前記指挿入部に挿入された親指に付け根を中心として上下動するのに加えて、残りの４本の足指も上下動の際に前記指覆部に当たり、適度に上下動を行うことができるので、運動の効果をさらに効率的に行うことができる。
【００１５】
請求項２に記載の健康器具においては、請求項１に記載の健康器具において、前記健康器具を足先に装着するために踵に掛回する伸縮自在の環状ゴム部を、さらに備えているので、使用者は前記健康器具を足先に装着した状態で前記環状ゴム部を足の踵に引っ掛けるように掛け回して、前記健康器具を足先に装着した状態で固定するので、前記健康器具を手で動かして操作する場合に、容易に操作を行うことができる。
【発明を実施するための最良の形態】
【００１６】
以下、本発明を実施するための最良の形態を図面に基づいて具体的に説明する。
【００１７】
（第１の実施態様）
【００１８】
図１乃至図１４は本発明に係る第１の実施の態様の健康器具である。
【００１９】
図１乃至図２は本発明に係る健康器具の一実施形態を示し、図１は一対の健康器具１０を正面側から見た斜視図であり、図２は一対の健康器具１０を背面側から見た斜視図である。
【００２０】
また、図３は本実施の形態の健康器具の右足用の健康器具１０Ａの正面図であり、図４は同背面図であり、図５は同平面図であり、図６は同底面図であり、図７は図３のＡ−Ａ線断面であり、図８は同右側面図であり、図９は図３のＢ−Ｂ線断面であり、図１０は図３のＣ−Ｃ線断面図であり、図１１は図３のＤ−Ｄ線断面図である。
【００２１】
前記各図において、１０は健康器具であり、右足用の健康器具１０Ａと左足用の健康器具１０Ｂとの一対の健康器具からなる。前記各健康器具１０Ａ及び１０Ｂ（以下、「健康器具１０Ａ等」という。）は、器具本体２０とゴムバンド３０とで構成しており、前記器具本体２０は、円筒形状の木材と平板状の木材を加工して形成しているが、合成樹脂材によって成型加工しても良い。
【００２２】
前記器具本体２０は、足の親指を進退自在に挿入できる挿入孔２２を穿設している円筒形状の指挿入部２１の外周の接線方向であって、他の４本の足指方向に延設する平板状に形成された指載置板２３を有しており、該指載置板２３は、図３の正面図に示すように、４本の足指の付け根が斜辺２３ａに当たるように、足指の付け根の方向に沿って斜行（図３の右下方向に斜行）して形成されている。すなわち、前記指載置板２３は、前記指挿入部２１に足の親指を挿入した状態で前記指載置板２３に他の４本の足指の付け根から先が載置するように形成されているのである。
【００２３】
前記指挿入部２１の挿入孔２２は、一般的な成人の足の親指を挿入して進退自在に出し入れできる程度の直径であり、具体的には、前記挿入孔２２は３２ｍｍ前後の直径の孔にて構成される。なお、このサイズは適宜に設定可能であり、また、例えば、男性用と女性用とで寸法を異なったものを用意して、各使用者の足のサイズに合致するものを選択させると良い。
【００２４】
前記指載置板２３は、平行四辺形状の平板からなり、略中央に平行四辺形状の把持用孔２３ｂを開設しており、前記のとおり、前記指挿入部２１の外周の接線方向に延設するように、前記指挿入部２１の外周の軸方向に一辺２３ｃを接合固定している。従って、前記接合固定した一辺２３ｃに隣接する斜辺２３ａは、前述のように、足指の付け根の方向に沿って斜行することとなる。この斜行角度としては、前記一辺２３ｃに対して、（図３の右下方向に）２０度が好適であり、より詳細には、例えば１０度〜３０度の範囲で適宜選択すると良い。
【００２５】
前記ゴムバンド３０は、切幅が１５ｍｍ、折径が２５０ｍｍ程度のサイズのゴムバンドであって、前記ゴムバンド３０を、扁平状に折った一端を前記把持用孔２３ｂに通した後に他端を前記一端の中に通すことにより、前記器具本体２０に固定する。
【００２６】
図１２は、本健康器具の足先への装着状態を示す斜視図であり、図１３は本健康器具の操作を示す斜視図である。
【００２７】
本実施形態は以上のような構成からなるので、本健康器具１０を使用する場合は、以下のように使用すると良い。先ず、図１１に示すように、使用者は、椅子に腰掛けて、又は座敷に座った状態で、足の親指Ｓを前記指挿入部２１の挿入孔２２に挿入し、他の４本の足指Ｙを前記指載置板２３に乗せる。そして、前記ゴムバンド３０を、足の踵Ｋに引っ掛けるように掛け回すと共に、足の小指と薬指の間に通して、前記健康器具１０Ｂを足先に装着した状態で固定するのである。
【００２８】
次に、図１２に示すように、前記把持用孔２３ｂに親指を通して前記健康器具１０Ｂを把持して、手前側に引っ張るように動かし、この動作を反復するのである。そして、前記健康器具１０Ｂを前記のように反復動作させることによって、足指の付け根部分を支点として足指を屈曲運動させて、足指の付け根部分にある経穴や神経を中心として押圧して、足指付け根部分に集中するツボを刺激して臓器の活性化及び足の筋肉のストレッチ並びに健康増進効果等を図ることができるのである。また、前記健康器具は手及び手の指を使用して操作するので、足指付け根部分以外の神経をも刺激し、手の先から足の先まで、全身に亘って効果的な運動が行うことができるとともに、各臓器の健康を維持し、地肌を美しく維持し、吹き出物をできにくくし、化粧乗りを良くすることができるのである。
【００２９】
図１４は椅子に腰掛けて本健康器具を操作する状態を示す斜視図である。本健康器具を操作する場合は、図１４に示すように、右足に装着した前記健康器具１０Ｂ操作する場合は左手で操作を行い、また、左足に装着した前記健康器具１０Ａを操作する場合は右手で操作を行うので、その結果、運動効果が全身に行き渡り、良好な効能、効果が得られることとなる。
【００３０】
（第２の実施態様）
【００３１】
図１５乃至図２９は本発明に係る第２の実施の態様の健康器具である。なお、第２の実施の態様の健康器具において、第１の実施の態様の健康器具と共通する部分については、同一の番号を付して説明を省略する。
【００３２】
図１５は、第２の実施の態様に係る一対の健康器具１００を正面側から見た斜視図であり、図１６は一対の健康器具１００を背面側から見た斜視図であり、図１７は斜視図である。
【００３３】
図１５乃至図１７に示すように、前記健康器具１００は、左足用の１００Ａと右足用の１００Ｂとからなる。
【００３４】
図１５乃至図１７において、２３ｃは指覆部であり、前記指載置部２３ｂを覆うようにして覆設している。前記指覆部２３ｃは、載置される４本の足指を覆うようにして前記指載置部２３ｂの上部に所定の空隙（足指が挿入できる程度の空間）を設けて覆設されているが、１本乃至３本の足指のみを覆うように形成してもよい。この前記指覆部２３ｃは、前記のように形成されているので、単に前記指載置部２３ｂに載置した４本の足指を覆って保護するだけではなく、後述するように本健康器具１００を上下動する場合において、手前側に引き寄せるように動かす場合に、前記４本の足指が前記指載置部２３ｂに抵触して、前記指挿入孔２２に挿入した親指と同時に屈曲し、効率よく各足指を動かすことができることとなる。
【００３５】
なお、前記ゴムバンド３０は前記指載置部２３ｂに巻回して固定したが、前記指覆部２３ｃに巻回して固定してもよい。
【００３６】
第２の実施の形態は以上のような構成からなるので、本健康器具１００を使用する場合は、以下のように使用すると良い。先ず、図１８に示すように、使用者は、椅子に腰掛けて、又は座敷に座った状態で、足の親指Ｓを前記指挿入部２１の挿入孔２２に挿入し、他の４本の足指Ｙを前記指覆部２３ｃと前記指載置板２３との間の空隙に挿入して、他の４本の足指Ｙを前記指載置板２３に乗せる。そして、前記ゴムバンド３０を、足の踵Ｋに引っ掛けるように掛け回して、前記健康器具１００Ｂを足先に装着した状態で固定するのである。
【００３７】
次に、図１９に示すように、前記把持用孔２３ｂに親指を通して前記健康器具１００Ｂを把持して、手前側に引っ張るように動かし、この動作を反復するのである。そして、前記健康器具１００Ｂを前記のように反復動作させることによって、足指の付け根部分を支点として足指を屈曲運動させて、足指の付け根部分にある経穴や神経を中心として押圧して、足指付け根部分に集中するツボを刺激して臓器の活性化及び足の筋肉のストレッチ並びに健康増進効果等を図ることができるのである。このとき、４本の足指も効率よく動かすことができる。また、前記健康器具は手及び手の指を使用して操作するので、足指付け根部分以外の神経をも刺激し、手の先から足の先まで、全身に亘って効果的な運動が行うことができるとともに、各臓器の健康を維持し、地肌を美しく維持し、吹き出物をできにくくし、化粧乗りを良くすることができるのである。
【００３８】
図２０は椅子に腰掛けて本健康器具を操作する状態を示す斜視図である。本健康器具を操作する場合は、図２０に示すように、右足に装着した前記健康器具１００Ｂを操作する場合は左手で操作を行い、また、左足に装着した前記健康器具１００Ａを操作する場合は右手で操作を行うので、その結果、運動効果が全身に行き渡り、良好な効能、効果が得られることとなる。
【図面の簡単な説明】
【００３９】
【図１】本発明に係る一対の健康器具１０を正面側から見た斜視図である。
【図２】同一対の健康器具１０を背面側から見た斜視図である。
【図３】同健康器具の右足用の健康器具１０Ａの正面図である。
【図４】同背面図である。
【図５】同平面図である。
【図６】同底面図である。
【図７】図３のＡ−Ａ線断面である。
【図８】同右側面図である。
【図９】図３のＢ−Ｂ線断面である。
【図１０】図３のＣ−Ｃ線断面図である。
【図１１】図３のＤ−Ｄ線断面図である。
【図１２】本健康器具の足先への装着状態を示す斜視図である。
【図１３】本健康器具の操作を示す斜視図である。
【図１４】椅子に腰掛けて本健康器具を操作する状態を示す斜視図である。
【図１５】本発明に係る第２の実施の形態の一対の健康器具１００を正面側から見た斜視図である。
【図１６】同一対の健康器具１００を背面側から見た斜視図である。
【図１７】同健康器具１００の斜視図である。
【図１８】第２の実施の形態の健康器具の足先への装着状態を示す斜視図である。
【図１９】第２の実施の形態の健康器具の操作を示す斜視図である。
【図２０】第２の実施の形態の健康器具を椅子に腰掛けて操作する状態を示す斜視図である。
【符号の説明】
【００４０】
１０、１００      健康器具
１０Ａ、１００Ａ    健康器具（左足用）
１０Ｂ、１００Ｂ    健康器具（右足用）
２０      器具本体
２１      指挿入部
２２      挿入孔
２３      指載置板
２３ａ    斜行辺
２３ｂ    把持用孔
２３ｃ    一辺
３０      ゴムバンド
Ｓ        足の親指
Ｙ        足の他の指
【図１】
2009028505.tif 000003
【図２】
2009028505.tif 000004
【図３】
2009028505.tif 000005
【図４】
2009028505.tif 000006
【図５】
2009028505.tif 000007
【図６】
2009028505.tif 000008
【図７】
2009028505.tif 000009
【図８】
2009028505.tif 000010
【図９】
2009028505.tif 000011
【図１０】
2009028505.tif 000012
【図１１】
2009028505.tif 000013
【図１２】
2009028505.tif 000014
【図１３】
2009028505.tif 000015
【図１４】
2009028505.tif 000016
【図１５】
2009028505.tif 000017
【図１６】
2009028505.tif 000018
【図１７】
2009028505.tif 000019
【図１８】
2009028505.tif 000020
【図１９】
2009028505.tif 000021
【図２０】
2009028505.tif 000022